【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
長方形の出力領域を有するプラグイン・リソース内の要素の寸法を決定する方法であって、前記要素は基点を有し、前記方法は、
前記要素の基点が前記出力領域の第１のコーナーにあるように、前記要素を移動させることと、
前記リソースを移動させた結果による前記出力領域の水平寸法の第１の増加を測定することと、
前記リソースを移動させた結果による前記出力領域の垂直寸法の第１の増加を測定することと、
出力領域の寸法において測定された増加から、前記要素の寸法を決定することと、
前記要素を前記出力領域の範囲内のその当初の位置に戻すこととを包含する、方法。
【請求項２】
前記要素が、前記出力領域の範囲内にユーザー起動可能な領域を包含する、請求項１に記載の方法。
【請求項３】
前記基点が前記要素の中央に位置し、前記要素の寸法を決定することが、
前記要素の水平寸法を、前記出力領域の水平寸法において測定された前記第１の増加の２倍に等しいと決定することと、
前記要素の垂直寸法を、前記出力領域の垂直寸法において測定された前記第１の増加の２倍に等しいと決定することとを包含する、請求項１に記載の方法。
【請求項４】
前記要素の寸法を決定する前に、
前記出力領域の前記第１のコーナーと対角線的に対向する第２のコーナーに前記要素の基点があるように、前記要素を移動させることと、
前記リソースを移動させた結果による出力領域の水平寸法の第２の増加を測定することと、
前記リソースを移動させた結果による出力領域の垂直寸法の第２の増加を測定することとを包含し、
前記要素の寸法を決定することは、
前記要素の水平寸法を、前記出力領域の水平寸法において測定された前記第１および第２の増加の合計に等しいと決定することと、
前記要素の垂直寸法を、前記出力領域の垂直寸法において測定された前記第１および第２の増加の合計に等しいと決定することとをさらに包含する、請求項１に記載の方法。
【請求項５】
前記プラグイン・リソースがアプリケーションを含み、前記長方形の出力領域がウェブ・ページの範囲内の領域を含む、請求項１に記載の方法。
【請求項６】
前記プラグイン・リソースがフラッシュ項目を含む、請求項１に記載の方法。
【請求項７】
前記プラグイン・リソースがビデオコンテンツを含む、請求項１に記載の方法。
【請求項８】
前記要素の前記決定された寸法を使用して、使用状況ディスプレイを生成および出力することを更に包含する、請求項１に記載の方法。
【請求項９】
ウェブ・ページ上のプラグイン・リソースのための使用状況報告を生成する方法であって、
プラグイン・リソースの範囲内のオブジェクトをユーザーが起動したことを示す通信を受信し、前記通信は前記オブジェクトのためのオブジェクト識別子および付加的な確認用証拠を含む、ことと、
前記ユーザーが起動したオブジェクトの前記オブジェクト識別子および前記付加的な確認用証拠を、オブジェクト識別子および付加的な確認用証拠を含む記録と比較することと、
格納された記録のオブジェクト識別子に関して所定の許容ファクターの範囲内にある前記ユーザーが起動したオブジェクトの前記オブジェクト識別子と、前記ユーザーが起動したオブジェクトの前記付加的な確認用証拠に一致する付加的な確認用証拠を有する格納された記録の前記識別子とに応答して、
前記ユーザーが起動したオブジェクトと前記格納された記録との一致を示すことと、
前記プラグイン・リソースを含む前記ウェブ・ページの表示の上に、オブジェクトのユーザー起動を数量化する視覚的インジケータを重ね合わせることによって、前記プラグイン・リソースを含む前記ウェブ・ページの表示を含む報告を生成することとを包含する、方法。
【請求項１０】
前記視覚的インジケータが色分けされる、請求項９に記載の方法。
【請求項１１】
プラグイン・リソースの使用状況を示す報告をウェブ・ページ上に表示する方法であって、
オブジェクトを含むプラグイン・リソースの表示を生成することと、
前記プラグイン・リソースの前記表示の上に、前記オブジェクトのユーザー起動を数量化する視覚的インジケータを重ね合わせることとを含む、方法。
【請求項１２】
前記視覚インジケータが色分けされる、請求項１１に記載の方法。
【請求項１３】
長方形の出力領域を有するプラグイン・リソースの範囲内の要素の寸法を決定するコンピュータ・プログラム製品であって、前記要素は基点を有し、前記コンピュータ・プログラム製品は、
コンピュータ可読媒体と、
前記媒体上にコード化されるコンピュータ・プログラム・コードとを含み、前記コードは、
前記要素の基点が出力領域の第１のコーナーにあるように前記要素を移動させることと、
前記リソースを移動させた結果による前記出力領域の水平寸法における第１の増加を測定することと、
前記リソースを移動させた結果による前記出力領域の垂直寸法における第１の増加を測定することと、
前記出力領域の寸法において測定された前記増加から、前記要素の寸法を決定することと、
前記要素を前記出力領域の範囲内のその当初の位置に戻すこととを目的とする、コンピュータ・プログラム製品。
【請求項１４】
前記要素が、前記出力領域の範囲内にユーザー起動可能な領域を含む、請求項１３に記載のコンピュータ・プログラム製品。
【請求項１５】
前記基点が前記要素の中央に位置し、前記要素の前記寸法を決定する前記コンピュータ・プログラム・コードが、
前記要素の水平寸法を、前記出力領域の水平寸法において測定された前記第１の増加の２倍に等しいと決定することと、
前記要素の垂直寸法を、前記出力領域の垂直寸法において測定された前記第１の増加の２倍に等しいと決定することとを目的とするコンピュータ・プログラム・コードを含む、請求項１３に記載のコンピュータ・プログラム製品。
【請求項１６】
前記要素の寸法を決定する前に、
前記出力領域の前記第１のコーナーと対角線的に対向する第２のコーナーに前記要素の基点があるように、前記要素を移動させることと、
前記リソースを移動させた結果による出力領域の水平寸法の第２の増加を測定することと、
前記リソースを移動させた結果による出力領域の垂直寸法の第２の増加を測定することとを目的とするコンピュータプログラム・コードを更に含み、
前記要素の寸法を決定する前記コンピュータ・プログラム・コードが、
前記要素の水平寸法を、前記出力領域の水平寸法において測定された前記第１および第２の増加の合計に等しいと決定することと、
前記要素の垂直寸法を、前記出力領域の垂直寸法において測定された前記第１および第２の増加の合計に等しいと決定することとを目的とするコンピュータ・プログラム・コードを含む、請求項１３に記載のコンピュータ・プログラム製品。
【請求項１７】
前記プラグイン・リソースがアプリケーションを含み、前記長方形の出力領域がウェブ・ページの範囲内の領域を含む、請求項１３に記載のコンピュータ・プログラム製品。
【請求項１８】
前記プラグイン・リソースがフラッシュ項目を含む、請求項１３に記載のコンピュータ・プログラム製品。
【請求項１９】
前記プラグイン・リソースがビデオコンテンツを含む、請求項１３に記載のコンピュータ・プログラム製品。
【請求項２０】
前記要素の前記決定された寸法を使用して使用状況ディスプレイを生成および出力するコンピュータプログラム・コードを更に含む、請求項１３に記載のコンピュータ・プログラム製品。
【請求項２１】
ウェブ・ページ上のプラグイン・リソースの使用状況報告を生成するコンピュータ・プログラム製品であって、
コンピュータ可読媒体と、
前記媒体上にコード化されるコンピュータ・プログラム・コードとを含み、前記コードは、
プラグイン・リソースの範囲内のオブジェクトをユーザーが起動したことを示す通信を受信し、前記通信は前記オブジェクトのためのオブジェクト識別子および付加的な確認用証拠を含む、ことと、
前記ユーザーが起動したオブジェクトの前記オブジェクト識別子および前記付加的な確認用証拠を、オブジェクト識別子および付加的な確認用証拠を含む記録と比較することと、
格納された記録のオブジェクト識別子に関して所定の許容ファクターの範囲内にある前記ユーザーが起動したオブジェクトの前記オブジェクト識別子と、前記ユーザーが起動したオブジェクトの前記付加的な確認用証拠に一致する付加的な確認用証拠を有する格納された記録の前記識別子とに応答して、
前記ユーザーが起動したオブジェクトと前記格納された記録との一致を示すことと、
前記プラグイン・リソースを含む前記ウェブ・ページの表示の上に、オブジェクトのユーザー起動を数量化する視覚的インジケータを重ね合わせることによって、前記プラグイン・リソースを含む前記ウェブ・ページの表示を含む報告を生成することとを目的とする、コンピュータ・プログラム製品。
【請求項２２】
前記視覚的インジケータが色分けされる、請求項２１に記載のコンピュータ・プログラム製品。
【請求項２３】
プラグイン・リソースの使用状況を示す報告をウェブ・ページに表示するコンピュータ・プログラム製品であって、
コンピュータ可読媒体と、
前記媒体上にコード化されるコンピュータ・プログラム・コードとを含み、前記コードは、
オブジェクトを含むプラグイン・リソースの表示を生成することと、
前記プラグイン・リソースの前記表示の上に、前記オブジェクトのユーザー起動を数量化する視覚的インジケータを重ね合わせることとを目的とする、コンピュータ・プログラム製品。
【請求項２４】
前記視覚的インジケータが色分けされる、請求項２３に記載のコンピュータ・プログラム製品。
【請求項２５】
長方形の出力領域を有するプラグイン・リソース内の要素の寸法を決定するシステムであって、前記要素は基点を有し、前記システムは、
ウェブ・ページ要求を受信し、改変されたプラグイン・コンテンツをクライアント・マシンに対して提供する、コンテンツ・サーバーと、
前記プラグイン・コンテンツに関する使用状況データを受信するデータ収集サーバーと、
前記受信した使用状況データを解析する解析モジュールと、
前記解析された使用状況データに基づいて、少なくとも１つのオーバーレイ報告を生成する、報告生成器とを含み、
前記改変されたプラグイン・コンテンツは、
前記要素の基点が前記出力領域の第１のコーナーにあるように、前記要素を移動させることと、
前記リソースを移動させた結果による前記出力領域の水平寸法の第１の増加を測定することと、
前記リソースを移動させた結果による前記出力領域の垂直寸法の第１の増加を測定することと、
出力領域の寸法において測定された増加から、前記要素の寸法を決定することと、
前記要素を前記出力領域の範囲内のその当初の位置に戻すこととによって、プラグインの範囲内の要素の寸法を決定することを目的とする、コードを含む、システム。
【請求項２６】
前記要素が、前記出力領域の範囲内にユーザー起動可能な領域を含む、請求項２３に記載のシステム。
【請求項２７】
前記プラグイン・リソースがアプリケーションを含み、前記長方形の出力領域がウェブ・ページの範囲内の領域を含む、請求項２３に記載のシステム。
【請求項２８】
前記プラグイン・リソースがフラッシュ項目を含む、請求項２３に記載のシステム。
【請求項２９】
前記プラグイン・リソースがビデオコンテンツを含む、請求項２３に記載のシステム。